(57)【要約】【課題】接着剤で互いに接着された剛体どうしを、傷つけることなく、簡単かつスムーズに、接着部分を分離して解体することができる実用性が高い解体工具を提供する。【解決手段】接着剤にて互いに接着された第１の剛体１０１と第２の剛体１０２とを接着部分を分離して解体するための解体工具であり、第１の剛体１０１に係止する係止手段１２と、第２の剛体１０２に当着し、該係止手段１２と協働して第１の剛体１０１への係止状態を維持しつつ係止手段１２が係止される方向Ｘ１とは逆方向Ｘ２に向けて第２の剛体１０２に対して押圧力を作用させて、第１の剛体１０１と第２の剛体１０２を分離する駆動手段１４と、を備えた解体工具１０から構成される。【選択図】図１
2020125632.tif 000002
【特許請求の範囲】
【請求項１】
接着剤にて互いに接着された第１の剛体と第２の剛体とを接着部分を分離して解体するための解体工具であり、
第１の剛体に係止する係止手段と、
第２の剛体に当着し、該係止手段と協働して第１の剛体への係止状態を維持しつつ係止手段が係止される方向とは逆方向に向けて第２の剛体に対して押圧力を作用させて、第１の剛体と第２の剛体を分離する駆動手段と、を備えたことを特徴とする解体工具。
【請求項２】
係止手段は、第１の剛体の一つの面に当着する基部と、該基部に固定され該一つの面に直角な面に係止される係止片とを有し、
駆動手段は、一端を基部の係止片から所定の離隔位置に係止し、他端を第２の剛体であって係止片が係止された第１の剛体の面とは裏面側となる面に当着し、伸長力によって第２の剛体に押圧力を作用させる伸縮装置を有することを特徴とする請求項１記載の解体工具。
【請求項３】
係止手段は、基部に対する係止片の固定位置を変更可能に設けられたことを特徴とする請求項２記載の解体工具。
【請求項４】
係止手段の基部は、一方に長い平板状部材からなり、
係止片は平板状部材に着脱可能であって、該平板状部材の長手方向の所定の位置に位置変更可能に取付けられるＬ字状片からなることを特徴とする請求項３記載の解体工具。
【請求項５】
第１、第２の剛体は、略立体矩形状の石材からなり、
係止手段の基部には、第１の剛体に当着された状態で第２の剛体の隅部に当接して位置決めされるように切欠き状に形成された位置決め部が設けられ、
該位置決め部の位置に対応して駆動手段の第２の剛体への押圧部が設定されることを特徴とする請求項２ないし４のいずれかに記載の解体工具。
【請求項６】
駆動手段は、係止手段の基部に対して着脱可能に取り付けられることを特徴とする請求項２ないし５のいずれかに記載の解体工具。
【請求項７】
駆動手段の伸縮装置は、ジャッキ装置からなり、
係止手段の基部には、ジャッキ装置の伸縮方向の一端を係止するストッパ部を有することを特徴とする請求項２ないし６のいずれかに記載の解体工具。
【発明の詳細な説明】
【技術分野】
【０００１】
本発明は、例えば、墓石のように石材どうしを接着されたものの解体や、その他互いに接着された剛体どうしを解体するのに便利な解体工具に関する。
【背景技術】
【０００２】
例えば、墓は、地下に設けられた納骨室の上に、芝石や下台、中台、上台、竿石等の複数の石材を順次載せて構築されている。従来の墓では、単に石材を積み上げて構築されたものもあるが、積み上げる石材と石材との間の隙間を目地材やモルタル等で埋めて固定されている場合もある。さらに、墓石は、地震が発生すると倒壊してしまうおそれ高いことから、近時では、墓石材どうしを耐震用の接着剤で接着して補強した墓石も多い（例えば、特許文献１参照）。墓石材どうしを接着する耐震用の接着剤は、例えば、固化したらゴム状になる樹脂製接着剤からなり、墓石材どうしを密着状態で強固に接着するとともに、衝撃を受けてもある程度吸収して、地震発生時に大きな揺れが生じても墓石が簡単に倒壊しないようになっている。
【先行技術文献】
【特許文献】
【０００３】
【特許文献１】特開平９−７８８８５号公報
【発明の概要】
【発明が解決しようとする課題】
【０００４】
近年では、生活スタイルの変化や人口減少に伴う社会構造の変化等により、墓が遠方のため管理できなくなったり、高齢のために墓参りに行けなくなったり、墓を管理する者自体が途絶えてしまったり等の理由で、墓を他の地域に移転したり、完全に撤去したりする墓じまいを行う者が増加している。墓じまいの際には、墓石を解体する必要があるが、上記のように接着剤で墓石どうしを強固に接着して耐震が施されたものは特に、それらを解体することが困難な場合が多かった。例えば、墓石の解体の際には、比較的大きな力が必要となる一方で、大きな力を墓石材に加えると墓石を傷つけてしまうおそれが高いうえ、墓石材どうしが密着して隙間がないことから接着剤を分離させるための工具等も入れることも困難な場合が多く、石材どうしを円滑に解体することができず、解体作業に時間や労力がかかり、作業コストも高くなる問題があった。特に、墓を引っ越して他の地域でも使用する場合には墓石を傷つけずに解体する必要があるが、墓石を傷つけずに解体することが困難な場合も多く、解体業者も苦労している。
【０００５】
本発明は上記従来の課題に鑑みてなされたものであり、その一つの目的は、接着剤で互いに接着された剛体どうしを、傷つけることなく、簡単かつスムーズに短時間で、接着部分を分離して解体することができる実用性が高い解体工具を提供することにある。
【課題を解決するための手段】
【０００６】
上記課題を解決するために本発明は、接着剤にて互いに接着された第１の剛体１０１と第２の剛体１０２とを接着部分を分離して解体するための解体工具であり、第１の剛体１０１に係止する係止手段１２と、第２の剛体１０２に当着し、該係止手段１２と協働して第１の剛体１０１への係止状態を維持しつつ係止手段１２が係止される方向Ｘ１とは逆方向Ｘ２に向けて第２の剛体１０２に対して押圧力を作用させて、第１の剛体１０１と第２の剛体１０２を分離する駆動手段１４と、を備えた解体工具１０から構成される。
【０００７】
また、係止手段１２は、第１の剛体の一つの面（１０１ａ）に当着する基部１６と、該基部１６に固定され該一つの面に直角な面（１０１ｂ）に係止される係止片１８とを有し、駆動手段１４は、一端を基部１６の係止片１８から所定の離隔位置に係止し、他端を第２の剛体１０２であって係止片１８が係止された第１の剛体の面（１０１ｂ）とは裏面側となる面（１０２ａ）に当着し、伸長力によって第２の剛体１０２に押圧力を作用させる伸縮装置（２８）を有することとしてもよい。
【０００８】
また、係止手段１２は、基部１６に対する係止片１８の固定位置を変更可能に設けられたこととしてもよい。
【０００９】
また、係止手段１２の基部１６は、一方に長い平板状部材２０からなり、係止片２８は平板状部材に着脱可能であって、該平板状部材２０の長手方向の所定の位置に位置変更可能に取付けられるＬ字状片２６からなることとしてもよい。
【００１０】
また、第１、第２の剛体は、略立体矩形状の石材からなり、係止手段１２の基部１６には、第１の剛体１０１に当着された状態で第２の剛体１０２の隅部に当接して位置決めされるように切欠き状に形成された位置決め部２２が設けられ、該位置決め部２２の位置に対応して駆動手段１４の第２の剛体１０２への押圧部が設定されることとしてもよい。
【００１１】
また、駆動手段１４は、係止手段１２の基部１６に対して着脱可能に取り付けられることとしてもよい。
【００１２】
また、駆動手段１４の伸縮装置は、ジャッキ装置２８からなり、係止手段１２の基部１６には、ジャッキ装置２８の伸縮方向の一端を係止するストッパ部２４を有することとしてもよい。
【発明の効果】
【００１３】
本発明の解体工具によれば、接着剤にて互いに接着された第１の剛体と第２の剛体とを接着部分を分離して解体するための解体工具であり、第１の剛体に係止する係止手段と、第２の剛体に当着し、該係止手段と協働して第１の剛体への係止状態を維持しつつ係止手段が係止される方向とは逆方向に向けて第２の剛体に対して押圧力を作用させて、第１の剛体と第２の剛体を分離する駆動手段と、を備えたことから、剛体を傷つけることなく、簡単かつスムーズに、短時間で接着された２つの剛体を接着部分から分解して解体することができる。
【００１４】
また、係止手段は、第１の剛体の一つの面に当着する基部と、該基部に固定され該一つの面に直角な面に係止される係止片とを有し、駆動手段は、一端を基部の係止片から所定の離隔位置に係止し、他端を第２の剛体であって係止片が係止された第１の剛体の面とは裏面側となる面に当着し、伸長力によって第２の剛体に押圧力を作用させる伸縮装置を有する構成とすることにより、簡単な構造で実現することができ、低コストで解体工具を実現できる。
【００１５】
また、係止手段は、基部に対する係止片の固定位置を変更可能に設けられた構成とすることにより、一つの解体工具でサイズが異なる種々の剛体に適応して、幅広く使用することができ、使い勝手を向上しうる。
【００１６】
また、係止手段の基部は、一方に長い平板状部材からなり、係止片は平板状部材に着脱可能であって、該平板状部材の長手方向の所定の位置に位置変更可能に取付けられるＬ字状片からなる構成とすることにより、係止片の位置を変更可能な係止手段を簡単な構成で具体的に実現できる。さらに、持ち運びしやすいとともに、不使用時に保管して置く際にも場所を取らない。
【００１７】
また、第１、第２の剛体は、略立体矩形状の石材からなり、係止手段の基部には、第１の剛体に当着された状態で第２の剛体の隅部に当接して位置決めされるように切欠き状に形成された位置決め部が設けられ、該位置決め部の位置に対応して駆動手段の第２の剛体への押圧部が設定される構成とすることにより、係止手段を第１、第２の剛体に手軽に位置決めして、確実に剛体へ駆動手段による押圧力を作用させる位置を正確かつ手軽に設定することができる。
【００１８】
また、駆動手段は、係止手段の基部に対して着脱可能に取り付けられる構成とすることにより、剛体へのセッティングを行いやすく、必要に応じて別々に持ち運び、管理できるので、使い勝手や可搬性が良い。
【００１９】
また、駆動手段の伸縮装置は、ジャッキ装置からなり、係止手段の基部には、ジャッキ装置の伸縮方向の一端を係止するストッパ部を有する構成とすることにより、例えば、周知のジャッキを利用することができるとともに、確実に剛体へ押圧力を作用させて、解体作業を円滑に行うことができる。
【図面の簡単な説明】
【００２０】
【図１】本発明の一実施形態に係る解体工具の側面図及び説明図である。
【図２】図１の解体工具の斜視図である。
【図３】図１の解体工具の平面図である。
【図４】図１の解体工具の作用説明図である。
【図５】図１の解体工具を他の実施例の説明図である。
【発明を実施するための形態】
【００２１】
以下添付図面を参照しつつ本発明の解体工具の実施形態について説明する。本発明に係る解体工具は、例えば、石材や金属のような剛体どうしが接着剤によって互いに接着されたものを接着部分から分離して解体するための解体装置である。図１ないし図３は、本発明の解体工具の一実施形態を示している。図１、図２、図３、図４に示すように、本実施形態では、接着剤にて互いに接着された第１の剛体と第２の剛体とをそれらの接着部分を分離して解体するための解体工具であり、第１の剛体に係止する係止手段１２と、第２の剛体に当着し係止手段１２と協働して第１の剛体と第２の剛体を分離する駆動手段１４と、を備える。
【００２２】
本実施形態では、解体工具１０は、例えば、石材どうしが接着剤で接着された墓石を解体する際に利用する態様の例で説明する。図２の二点鎖線に示すように、墓１００は、地上部分において、略直方体状の台石（１０１）の上に縦長直方体状の竿石（１０２）が載置されており、それらの台石と竿石とは接着剤で接着されている。また、台石と竿石との隙間に目地材やモルタル等を埋められているものもあるが、本実施形態では、石材どうしを接着する接着剤としては、耐震用の接着剤に限らず、例えば、石材どうしの隙間を埋める目地材やモルタル等も含むこととする。本実施形態では、台石を第１の剛体１０１、竿石を第２の剛体１０２とする。すなわち、第１の剛体１０１及び第２の剛体１０２は、例えば、断面が略矩形状となる略立体矩形状の石材からなる。
【００２３】
係止手段１２は、第１の剛体１０１である台石に係止して配置される係止手段である。図１、図２、図３に示すように、本実施形態では、係止手段１２は、例えば、第１の剛体１０１の一つの面（上面）１０１ａに当着する基部１６と、該基部１６に固定され該一つの面（上面）１０１ａに直角な他の面（側面）１０１ｂに当着して係止される係止片１８と、を有する。基部１６は、例えば、金属板等の硬質素材を所定形状に加工して形成された平板状部材２０からなり、互いに接着された第１の剛体１０１と第２の剛体１０２との接着部分近傍に配置される。具体的には、基部１６は、一方に長く設けられており、帯状に細長い細長部２０ａと、細長部２０ａの一端部側に該細長部２０ａの幅よりも広く設けられた拡大部２０ｂと、が一体的に設けられている。平板状部材２０の細長部２０ａには係止片１８が固定されるとともに、拡大部２０ｂには駆動手段１４が設置される。平板状部材２０の細長部２０ａと拡大部２０ｂとは、幅方向の一方側の辺は互いに揃って直線状に形成されており、他方側では細長部２０ａから略Ｌ字状に拡大部２０ｂが幅拡大するように突設され、それらの部分に略Ｌ字切欠状に形成された位置決め部２２が形成されている。図４に示すように、基部１６の位置決め部２２は、基部１６を第１の剛体１０１である台石の上面に載置して当着した状態で、第２の剛体１０２である竿石の隅部に当接して基部１６を所定の位置へ位置決めしうる。平板状部材２０の細長部２０ａには、板面を貫通する貫通孔２１が複数個穿孔されており、長手方向に沿って互いに離隔して直線状に並設されている。なお、係止手段１２の基部１６は、平板状部材に限らず、ブロックのように厚みがあるものやフレーム状等任意の構成としてもよい。
【００２４】
平板状部材２０の拡大部２０ｂの細長部２０とは反対側に対向する端部には、平板状部材２０の板面に垂直に固定されたストッパ部２４が一体的に固定されている。ストッパ部２４は、後述の駆動手段１４を係止するストッパであり、Ｌ字状片から離隔して配置されている。ストッパ部２４は、例えば、金属板等からなりその板面を平板状部材２０の板面に直角にした状態で溶接等によって固定されている。図２に示すように、ストッパ部２４は、平板状部材２０の板面に対して両側に突設されている。なお、ストッパ部２４は、例えば、平板状部材の一部をＬ字状に曲げて平板状部材の板面の片面側から突設した構造としてもよく、その他任意の構成としてもよい。
【００２５】
図１、図２に示すように、係止手段１２の係止片１８は平板状部材２０に着脱可能に固定されて、平板状部材２０の長手方向の所定の位置に位置変更可能に取付けられるＬ字状片２６からなる。Ｌ字状片２６は、例えば、硬質の金属板等を直角Ｌ字状に曲げて設けられている。Ｌ字状片２６のＬ字の一方側の板部には、板面を貫通する貫通孔２７が２個穿孔されている。Ｌ字状片２６の貫通孔２７を平板状部材２０の任意の貫通孔２１と位置合わせして、ボルト・ナット等の締結装置３０により、Ｌ字状片２６と平板状部材２０とが固定され、平板状部材２０の板面に対して垂直状に板片を突設させた状態となる。平板状部材２０側の貫通孔２１の位置を変更することにより、平板状部材２０の長手方向に対するＬ字状片２６の固定位置を任意に変更して固定することができる。すなわち、係止手段１２は、基部１６に対する係止片１８の固定位置を変更可能に設けられている。なお、基部１６と係止片１６とは、例えば、一体的に設けられていてもよい。
【００２６】
例えば、図５に示すように、係止手段１２の平板状部材２０には、長手方向長さを延長する延長部材４０を装着することとしてもよい。延長部材４０は、平板状部材２０の細長部２０ａと同じ幅で一方に長く設けられており、一端に平板状部材２０への連結部４０ａが一体的に設けられている。延長部材４０の連結部４０ａには貫通孔４２が穿孔されてお平板状部材２０の細長部の一端側に延長部材の連結部４０ａを重ねてボルト・ナット等の締結装置４４で固定することにより延長することができる。延長部材４０には、平板状部材２０の細長部同様に所定間隔で互いに離隔して直線状に並設された複数の貫通孔４６が貫通されており、所定の貫通孔４６の位置にＬ字状片２６をボルト・ナットで締結して固定することができる。これによって、サイズが大きい剛体の場合でも対応することができる。
【００２７】
駆動手段１４は、第２の剛体１０２に当着し、該係止手段１２と協働して第１の剛体と第２の剛体を分離する押圧力を第２の剛体１０２に向けて作用させる作動手段である。駆動手段１４は、係止手段１２による第１の剛体１０１への係止状態を維持しつつ係止手段１２が係止される方向（図２上、矢印Ｘ１方向）とは逆方向（図２上、矢印Ｘ２方向）に向けて第２の剛体１０２に対して押圧力を作用させることにより、第１の剛体１０１と第２の剛体１０２をそれらの接着部分から分離して解体させる。図１、図２、図３に示すように、本実施形態では、駆動手段１４は、例えば、係止手段１６により係止させる方向（図２上、Ｘ１方向）に略沿った方向に伸縮する伸縮装置を有する。伸縮装置は、例えば、周知の油圧ジャッキ等からなるジャッキ装置２８からなる。ジャッキ装置２８は、例えば、装置基体２８ａから油圧により進退するヘッド部２８ｂを有し、操作棒２８ｃを手動操作することによりヘッド部２８ｂを基体２８ａから進退させて全長を伸縮する。ジャッキ装置２８は、平板状部材２０の拡大部２０ｂの上に載置されており、該拡大部２０ｂの幅方向の位置をある程度調整可能となっている。ジャッキ装置２８は、平板状部材２０に固定されていてもよいが、本実施形態のように平板状部材２０での設置位置を微調整できるようにすると、第２の剛体に対して押圧する位置を微調整することができる。なお、ジャッキ装置２８は、例えば、パンタグラフジャッキ等の機械式ジャッキや空気式ジャッキ等のその他のジャッキでもよい。また、駆動手段１４はジャッキ装置を用いる構成に限らず、シリンダや電動アクチュエータ等その他任意の伸縮装置でもよい。また、駆動手段１４は、例えば、係止手段を係止させる方向に略沿う方向に軸方向を設定したネジ軸等を回転することによりネジ軸先端の押圧部が第２の剛体１０２の側面を押圧する方向に進退移動して押圧する構成等、その他の押圧駆動装置でもよい。
【００２８】
本実施形態では、ジャッキ装置２８は、第１の剛体１０１の上面に載置された平板状部材２０の拡大部２０ｂの上に載置されて、装置基体２８ａの一端を基部１６の係止片１８から離隔した位置に設けられたストッパ部２４に係止し、他端となるヘッド部２８ｂを第２の剛体の側面１０２ａで面に当着させて設置される。ジャッキ装置２８のヘッド部２８ｂが当着する第２の剛体１０２である竿石の側面１０２ａは、上記係止片１８が係止された第１の剛体１０１の側面１０１ｂとは裏面側となる側の側面となる。さらに、ジャッキ装置２８のヘッド部２８ｂは、第１の剛体１０１と第２の剛体１０２との接着部分近傍位置であって、第２の剛体の隅部位置近傍に押圧部として設定される。ジャッキ装置２８を手動操作して、基体２８ａからヘッド部２８ｂを進出して全長が伸長すると、その伸長力によって係止手段１２と協働して第２の剛体１０２の隅部に押圧力を作用させるようになっており、該隅部に強い押圧力を作用させることで、効率良く剛体どうしの接着部分に力を加えて分離する力を作用させることができる。さらに、ジャッキ装置２８の伸長時の突っ張り力で平板状部材２０への係止力が保持されるようになっている。駆動手段１４を構成するジャッキ装置２８は、係止手段１２の平板状部材２８の板面上に載置されて、ストッパ部２４で係止されているだけであるので、該平板状部材２８に対して簡単に着脱することができるように取り付けられている。なお、例えば、ジャッキ装置２８を平板状部材２０に固定する構成等として、駆動手段１４は係止手段１２に対して固定されて一体されていてもよい。
【００２９】
次に、本実施形態に係る解体工具１０の作用について説明する。図２、図４（ａ）に示すように、第１の剛体１０１である台石の上面（１０１ａ）に係止手段１２の基部１６である平板状部材２０を載置する。この際、平板状部材２０のＬ字切欠き状の位置決め部２２を第２の剛体１０２である竿石の隅部に当接して位置決めする。係止手段１２の係止片１８となるＬ字状片２６が台石の側面（１０１ｂ）に当着する又は近接する位置にＬ字状片２６を平板状部材２０の細長部２０ａの所定の位置に、ボルト・ナット（３０）で締結して固定する。駆動手段１４を構成するジャッキ装置２８を平板状部材２０の拡大部２０ｂの板面上に載置する。ジャッキ装置２８は、基体２８ａを平板状部材２０のストッパ部２４に係止させるとともに、ヘッド部２８ｂを竿石の側面（１０２ａ）に当着又は近接して設定する。ジャッキ装置２８の操作棒２８ｃを前後に揺動させて手動操作することによって、図４（ｂ）に示すように、ヘッド部２８ｂが基体２８ａから進出するのに伴って全長が伸長することにより、ストッパ部２４と第２の剛体１０２である竿石の側面１０２ａとの間で突っ張り状に作用する。駆動手段１４のジャッキ装置２８の全長を伸長することにより、第１の剛体１０１には係止手段１２の係止片１８により係止される方向Ｘ１に向けて力が作用すると同時に、第２の剛体１０２には、該係止される方向Ｘ１とは逆方向Ｘ２に押圧する力が作用することとなる。その結果、第１、第２の剛体１０１、１０２の接着部分の近傍において、互いに逆方向（Ｘ１，Ｘ２）に力が作用することにより、それらの接着部分にねじれ状の強い力が作用して接着部分を切断分離して竿石を台石に対してスライドさせ、それらの石材を傷つけることなく、簡単かつスムーズに、短時間でしかも確実に解体することができる。なお、本実施形態では、墓石を解体する例で説明したが、墓石に限らず種々の石材や金属等の剛体どうしが接着されたものを接着部分から分解して解体する際に利用することとしてもよい。
【００３０】
以上説明した本発明の解体工具は、上記した実施形態のみの構成に限定されるものではなく、特許請求の範囲に記載した本発明の本質を逸脱しない範囲において、任意の改変を行ってもよい。
【産業上の利用可能性】
【００３１】
本発明の解体工具は、例えば、互いに接着された石材や金属等の剛体を接着部分から分離して解体する際に利用することができる。特に、墓じまいで墓石を解体する際などに有効に利用することができる。
【符号の説明】
【００３２】
１０    解体工具
１２    係止手段
１４    駆動手段
１６    基部
１８    係止片
２０    平板状部材
２２    位置決め部
２４    ストッパ部
２６    Ｌ字状片
２８    ジャッキ装置
１０１    第１の剛体
１０２    第２の剛体
【図１】
2020125632.tif 000003
【図２】
2020125632.tif 000004
【図３】
2020125632.tif 000005
【図４】
2020125632.tif 000006
【図５】
2020125632.tif 000007
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
接着剤にて互いに接着された第１の剛体と第２の剛体とを接着部分を分離して解体するための解体工具であり、
第１の剛体に係止する係止手段と、
第２の剛体に当着し、該係止手段と協働して第１の剛体への係止状態を維持しつつ係止手段が係止される方向とは逆方向に向けて第２の剛体に対して押圧力を作用させて、第１の剛体と第２の剛体を分離する駆動手段と、を備え、
係止手段は、第１の剛体の一つの面に当着する基部と、該基部に固定され該一つの面に直角な面に係止される係止片とを有し、
駆動手段は、一端を基部の係止片から所定の離隔位置に係止し、他端を第２の剛体であって係止片が係止された第１の剛体の面とは裏面側となる面に当着し、伸長力によって第２の剛体に押圧力を作用させる伸縮装置を有することを特徴とする解体工具。
【請求項２】
係止手段は、基部に対する係止片の固定位置を変更可能に設けられたことを特徴とする請求項１記載の解体工具。
【請求項３】
係止手段の基部は、一方に長い平板状部材からなり、
係止片は平板状部材に着脱可能であって、該平板状部材の長手方向の所定の位置に位置変更可能に取付けられるＬ字状片からなることを特徴とする請求項２記載の解体工具。
【請求項４】
第１、第２の剛体は、略立体矩形状の石材からなり、
係止手段の基部には、第１の剛体に当着された状態で第２の剛体の隅部に当接して位置決めされるように切欠き状に形成された位置決め部が設けられ、
該位置決め部の位置に対応して駆動手段の第２の剛体への押圧部が設定されることを特徴とする請求項１ないし３のいずれかに記載の解体工具。
【請求項５】
駆動手段は、係止手段の基部に対して着脱可能に取り付けられることを特徴とする請求項１ないし４のいずれかに記載の解体工具。
【請求項６】
駆動手段の伸縮装置は、ジャッキ装置からなり、
係止手段の基部には、ジャッキ装置の伸縮方向の一端を係止するストッパ部を有することを特徴とする請求項１ないし５のいずれかに記載の解体工具。
【手続補正２】
【補正対象書類名】明細書
【補正対象項目名】全文
【補正方法】変更
【補正の内容】
【発明の詳細な説明】
【技術分野】
【０００１】
本発明は、例えば、墓石のように石材どうしを接着されたものの解体や、その他互いに接着された剛体どうしを解体するのに便利な解体工具に関する。
【背景技術】
【０００２】
例えば、墓は、地下に設けられた納骨室の上に、芝石や下台、中台、上台、竿石等の複数の石材を順次載せて構築されている。従来の墓では、単に石材を積み上げて構築されたものもあるが、積み上げる石材と石材との間の隙間を目地材やモルタル等で埋めて固定されている場合もある。さらに、墓石は、地震が発生すると倒壊してしまうおそれ高いことから、近時では、墓石材どうしを耐震用の接着剤で接着して補強した墓石も多い（例えば、特許文献１参照）。墓石材どうしを接着する耐震用の接着剤は、例えば、固化したらゴム状になる樹脂製接着剤からなり、墓石材どうしを密着状態で強固に接着するとともに、衝撃を受けてもある程度吸収して、地震発生時に大きな揺れが生じても墓石が簡単に倒壊しないようになっている。
【先行技術文献】
【特許文献】
【０００３】
【特許文献１】特開平９−７８８８５号公報
【発明の概要】
【発明が解決しようとする課題】
【０００４】
近年では、生活スタイルの変化や人口減少に伴う社会構造の変化等により、墓が遠方のため管理できなくなったり、高齢のために墓参りに行けなくなったり、墓を管理する者自体が途絶えてしまったり等の理由で、墓を他の地域に移転したり、完全に撤去したりする墓じまいを行う者が増加している。墓じまいの際には、墓石を解体する必要があるが、上記のように接着剤で墓石どうしを強固に接着して耐震が施されたものは特に、それらを解体することが困難な場合が多かった。例えば、墓石の解体の際には、比較的大きな力が必要となる一方で、大きな力を墓石材に加えると墓石を傷つけてしまうおそれが高いうえ、墓石材どうしが密着して隙間がないことから接着剤を分離させるための工具等を入れることも困難な場合が多く、石材どうしを円滑に解体することができず、解体作業に時間や労力がかかり、作業コストも高くなる問題があった。特に、墓を引っ越して他の地域でも使用する場合には墓石を傷つけずに解体する必要があるが、墓石を傷つけずに解体することが困難な場合も多く、解体業者も苦労している。
【０００５】
本発明は上記従来の課題に鑑みてなされたものであり、その一つの目的は、接着剤で互いに接着された剛体どうしを、傷つけることなく、簡単かつスムーズに短時間で、接着部分を分離して解体することができる実用性が高い解体工具を提供することにある。
【課題を解決するための手段】
【０００６】
上記課題を解決するために本発明は、接着剤にて互いに接着された第１の剛体１０１と第２の剛体１０２とを接着部分を分離して解体するための解体工具であり、第１の剛体１０１に係止する係止手段１２と、第２の剛体１０２に当着し、該係止手段１２と協働して第１の剛体１０１への係止状態を維持しつつ係止手段１２が係止される方向Ｘ１とは逆方向Ｘ２に向けて第２の剛体１０２に対して押圧力を作用させて、第１の剛体１０１と第２の剛体１０２を分離する駆動手段１４と、を備え、係止手段１２は、第１の剛体の一つの面（１０１ａ）に当着する基部１６と、該基部１６に固定され該一つの面に直角な面（１０１ｂ）に係止される係止片１８とを有し、駆動手段１４は、一端を基部１６の係止片１８から所定の離隔位置に係止し、他端を第２の剛体１０２であって係止片１８が係止された第１の剛体の面（１０１ｂ）とは裏面側となる面（１０２ａ）に当着し、伸長力によって第２の剛体１０２に押圧力を作用させる伸縮装置（２８）を有する解体工具１０から構成される。
【０００７】
また、係止手段１２は、基部１６に対する係止片１８の固定位置を変更可能に設けられたこととしてもよい。
【０００８】
また、係止手段１２の基部１６は、一方に長い平板状部材２０からなり、係止片２８は平板状部材に着脱可能であって、該平板状部材２０の長手方向の所定の位置に位置変更可能に取付けられるＬ字状片２６からなることとしてもよい。
【０００９】
また、第１、第２の剛体は、略立体矩形状の石材からなり、係止手段１２の基部１６には、第１の剛体１０１に当着された状態で第２の剛体１０２の隅部に当接して位置決めされるように切欠き状に形成された位置決め部２２が設けられ、該位置決め部２２の位置に対応して駆動手段１４の第２の剛体１０２への押圧部が設定されることとしてもよい。
【００１０】
また、駆動手段１４は、係止手段１２の基部１６に対して着脱可能に取り付けられることとしてもよい。
【００１１】
また、駆動手段１４の伸縮装置は、ジャッキ装置２８からなり、係止手段１２の基部１６には、ジャッキ装置２８の伸縮方向の一端を係止するストッパ部２４を有することとしてもよい。
【発明の効果】
【００１２】
本発明の解体工具によれば、接着剤にて互いに接着された第１の剛体と第２の剛体とを接着部分を分離して解体するための解体工具であり、第１の剛体に係止する係止手段と、第２の剛体に当着し、該係止手段と協働して第１の剛体への係止状態を維持しつつ係止手段が係止される方向とは逆方向に向けて第２の剛体に対して押圧力を作用させて、第１の剛体と第２の剛体を分離する駆動手段と、を備えたことから、剛体を傷つけることなく、簡単かつスムーズに、短時間で接着された２つの剛体を接着部分から分解して解体することができる。
【００１３】
また、係止手段は、第１の剛体の一つの面に当着する基部と、該基部に固定され該一つの面に直角な面に係止される係止片とを有し、駆動手段は、一端を基部の係止片から所定の離隔位置に係止し、他端を第２の剛体であって係止片が係止された第１の剛体の面とは裏面側となる面に当着し、伸長力によって第２の剛体に押圧力を作用させる伸縮装置を有する構成とすることにより、簡単な構造で実現することができ、低コストで解体工具を実現できる。
【００１４】
また、係止手段は、基部に対する係止片の固定位置を変更可能に設けられた構成とすることにより、一つの解体工具でサイズが異なる種々の剛体に適応して、幅広く使用することができ、使い勝手を向上しうる。
【００１５】
また、係止手段の基部は、一方に長い平板状部材からなり、係止片は平板状部材に着脱可能であって、該平板状部材の長手方向の所定の位置に位置変更可能に取付けられるＬ字状片からなる構成とすることにより、係止片の位置を変更可能な係止手段を簡単な構成で具体的に実現できる。さらに、持ち運びしやすいとともに、不使用時に保管しておく際にも場所を取らない。
【００１６】
また、第１、第２の剛体は、略立体矩形状の石材からなり、係止手段の基部には、第１の剛体に当着された状態で第２の剛体の隅部に当接して位置決めされるように切欠き状に形成された位置決め部が設けられ、該位置決め部の位置に対応して駆動手段の第２の剛体への押圧部が設定される構成とすることにより、係止手段を第１、第２の剛体に手軽に位置決めして、確実に剛体へ駆動手段による押圧力を作用させる位置を正確かつ手軽に設定することができる。
【００１７】
また、駆動手段は、係止手段の基部に対して着脱可能に取り付けられる構成とすることにより、剛体へのセッティングを行いやすく、必要に応じて別々に持ち運び、管理できるので、使い勝手や可搬性が良い。
【００１８】
また、駆動手段の伸縮装置は、ジャッキ装置からなり、係止手段の基部には、ジャッキ装置の伸縮方向の一端を係止するストッパ部を有する構成とすることにより、例えば、周知のジャッキを利用することができるとともに、確実に剛体へ押圧力を作用させて、解体作業を円滑に行うことができる。
【図面の簡単な説明】
【００１９】
【図１】本発明の一実施形態に係る解体工具の側面図及び説明図である。
【図２】図１の解体工具の斜視図である。
【図３】図１の解体工具の平面図である。
【図４】図１の解体工具の作用説明図である。
【図５】図１の解体工具を他の実施例の説明図である。
【発明を実施するための形態】
【００２０】
以下添付図面を参照しつつ本発明の解体工具の実施形態について説明する。本発明に係る解体工具は、例えば、石材や金属のような剛体どうしが接着剤によって互いに接着されたものを接着部分から分離して解体するための解体装置である。図１ないし図３は、本発明の解体工具の一実施形態を示している。図１、図２、図３、図４に示すように、本実施形態では、接着剤にて互いに接着された第１の剛体と第２の剛体とをそれらの接着部分を分離して解体するための解体工具であり、第１の剛体に係止する係止手段１２と、第２の剛体に当着し係止手段１２と協働して第１の剛体と第２の剛体を分離する駆動手段１４と、を備える。
【００２１】
本実施形態では、解体工具１０は、例えば、石材どうしが接着剤で接着された墓石を解体する際に利用する態様の例で説明する。図１の二点鎖線に示すように、墓１００は、地上部分において、略直方体状の台石（１０１）の上に縦長直方体状の竿石（１０２）が載置されており、それらの台石と竿石とは接着剤で接着されている。また、台石と竿石との隙間に目地材やモルタル等を埋められているものもあるが、本実施形態では、石材どうしを接着する接着剤としては、耐震用の接着剤に限らず、例えば、石材どうしの隙間を埋める目地材やモルタル等も含むこととする。本実施形態では、台石を第１の剛体１０１、竿石を第２の剛体１０２とする。すなわち、第１の剛体１０１及び第２の剛体１０２は、例えば、断面が略矩形状となる略立体矩形状の石材からなる。
【００２２】
係止手段１２は、第１の剛体１０１である台石に係止して配置される係止手段である。図１、図２、図３に示すように、本実施形態では、係止手段１２は、例えば、第１の剛体１０１の一つの面（上面）１０１ａに当着する基部１６と、該基部１６に固定され該一つの面（上面）１０１ａに直角な他の面（側面）１０１ｂに当着して係止される係止片１８と、を有する。基部１６は、例えば、金属板等の硬質素材を所定形状に加工して形成された平板状部材２０からなり、互いに接着された第１の剛体１０１と第２の剛体１０２との接着部分近傍に配置される。具体的には、基部１６は、一方に長く設けられており、帯状に細長い細長部２０ａと、細長部２０ａの一端部側に該細長部２０ａの幅よりも広く設けられた拡大部２０ｂと、が一体的に設けられている。平板状部材２０の細長部２０ａには係止片１８が固定されるとともに、拡大部２０ｂには駆動手段１４が設置される。平板状部材２０の細長部２０ａと拡大部２０ｂとは、幅方向の一方側の辺は互いに揃って直線状に形成されており、他方側では細長部２０ａから略Ｌ字状に拡大部２０ｂが幅拡大するように突設され、それらの部分に略Ｌ字切欠状に形成された位置決め部２２が形成されている。図４に示すように、基部１６の位置決め部２２は、基部１６を第１の剛体１０１である台石の上面に載置して当着した状態で、第２の剛体１０２である竿石の隅部に当接して基部１６を所定の位置へ位置決めしうる。平板状部材２０の細長部２０ａには、板面を貫通する貫通孔２１が複数個穿孔されており、長手方向に沿って互いに離隔して直線状に並設されている。なお、係止手段１２の基部１６は、平板状部材に限らず、ブロックのように厚みがあるものやフレーム状等任意の構成としてもよい。
【００２３】
平板状部材２０の拡大部２０ｂの細長部２０とは反対側に対向する端部には、平板状部材２０の板面に垂直に固定されたストッパ部２４が一体的に固定されている。ストッパ部２４は、後述の駆動手段１４を係止するストッパであり、Ｌ字状片から離隔して配置されている。ストッパ部２４は、例えば、金属板等からなりその板面を平板状部材２０の板面に直角にした状態で溶接等によって固定されている。図２に示すように、ストッパ部２４は、平板状部材２０の板面に対して両側に突設されている。なお、ストッパ部２４は、例えば、平板状部材の一部をＬ字状に曲げて平板状部材の板面の片面側から突設した構造としてもよく、その他任意の構成としてもよい。
【００２４】
図１、図２に示すように、係止手段１２の係止片１８は平板状部材２０に着脱可能に固定されて、平板状部材２０の長手方向の所定の位置に位置変更可能に取付けられるＬ字状片２６からなる。Ｌ字状片２６は、例えば、硬質の金属板等を直角Ｌ字状に曲げて設けられている。Ｌ字状片２６のＬ字の一方側の板部には、板面を貫通する貫通孔２７が２個穿孔されている。Ｌ字状片２６の貫通孔２７を平板状部材２０の任意の貫通孔２１と位置合わせして、ボルト・ナット等の締結装置３０により、Ｌ字状片２６と平板状部材２０とが固定され、平板状部材２０の板面に対して垂直状に板片を突設させた状態となる。平板状部材２０側の貫通孔２１の位置を変更することにより、平板状部材２０の長手方向に対するＬ字状片２６の固定位置を任意に変更して固定することができる。すなわち、係止手段１２は、基部１６に対する係止片１８の固定位置を変更可能に設けられている。なお、基部１６と係止片１８とは、例えば、一体的に設けられていてもよい。
【００２５】
例えば、図５に示すように、係止手段１２の平板状部材２０には、長手方向長さを延長する延長部材４０を装着することとしてもよい。延長部材４０は、平板状部材２０の細長部２０ａと同じ幅で一方に長く設けられており、一端に平板状部材２０への連結部４０ａが一体的に設けられている。延長部材４０の連結部４０ａには貫通孔４２が穿孔されてお平板状部材２０の細長部の一端側に延長部材の連結部４０ａを重ねてボルト・ナット等の締結装置４４で固定することにより延長することができる。延長部材４０には、平板状部材２０の細長部同様に所定間隔で互いに離隔して直線状に並設された複数の貫通孔４６が貫通されており、所定の貫通孔４６の位置にＬ字状片２６をボルト・ナットで締結して固定することができる。これによって、サイズが大きい剛体の場合でも対応することができる。
【００２６】
駆動手段１４は、第２の剛体１０２に当着し、該係止手段１２と協働して第１の剛体と第２の剛体を分離する押圧力を第２の剛体１０２に向けて作用させる作動手段である。駆動手段１４は、係止手段１２による第１の剛体１０１への係止状態を維持しつつ係止手段１２が係止される方向（図１上、矢印Ｘ１方向）とは逆方向（図１上、矢印Ｘ２方向）に向けて第２の剛体１０２に対して押圧力を作用させることにより、第１の剛体１０１と第２の剛体１０２をそれらの接着部分から分離して解体させる。図１、図２、図３に示すように、本実施形態では、駆動手段１４は、例えば、係止手段１６により係止させる方向（図１上、Ｘ１方向）に略沿った方向に伸縮する伸縮装置を有する。伸縮装置は、例えば、周知の油圧ジャッキ等からなるジャッキ装置２８からなる。ジャッキ装置２８は、例えば、装置基体２８ａから油圧により進退するヘッド部２８ｂを有し、操作棒２８ｃを手動操作することによりヘッド部２８ｂを基体２８ａから進退させて全長を伸縮する。ジャッキ装置２８は、平板状部材２０の拡大部２０ｂの上に載置されており、該拡大部２０ｂの幅方向の位置をある程度調整可能となっている。ジャッキ装置２８は、平板状部材２０に固定されていてもよいが、本実施形態のように平板状部材２０での設置位置を微調整できるようにすると、第２の剛体に対して押圧する位置を微調整することができる。なお、ジャッキ装置２８は、例えば、パンタグラフジャッキ等の機械式ジャッキや空気式ジャッキ等のその他のジャッキでもよい。また、駆動手段１４はジャッキ装置を用いる構成に限らず、シリンダや電動アクチュエータ等その他任意の伸縮装置でもよい。また、駆動手段１４は、例えば、係止手段を係止させる方向に略沿う方向に軸方向を設定したネジ軸等を回転することによりネジ軸先端の押圧部が第２の剛体１０２の側面を押圧する方向に進退移動して押圧する構成等、その他の押圧駆動装置でもよい。
【００２７】
本実施形態では、ジャッキ装置２８は、第１の剛体１０１の上面に載置された平板状部材２０の拡大部２０ｂの上に載置されて、装置基体２８ａの一端を基部１６の係止片１８から離隔した位置に設けられたストッパ部２４に係止し、他端となるヘッド部２８ｂを第２の剛体の側面１０２ａで面に当着させて設置される。ジャッキ装置２８のヘッド部２８ｂが当着する第２の剛体１０２である竿石の側面１０２ａは、上記係止片１８が係止された第１の剛体１０１の側面１０１ｂとは裏面側となる側の側面となる。さらに、ジャッキ装置２８のヘッド部２８ｂは、第１の剛体１０１と第２の剛体１０２との接着部分近傍位置であって、第２の剛体の隅部位置近傍に押圧部として設定される。ジャッキ装置２８を手動操作して、基体２８ａからヘッド部２８ｂを進出して全長が伸長すると、その伸長力によって係止手段１２と協働して第２の剛体１０２の隅部に押圧力を作用させるようになっており、該隅部に強い押圧力を作用させることで、効率良く剛体どうしの接着部分に力を加えて分離する力を作用させることができる。さらに、ジャッキ装置２８の伸長時の突っ張り力で平板状部材２０への係止力が保持されるようになっている。駆動手段１４を構成するジャッキ装置２８は、係止手段１２の平板状部材２８の板面上に載置されて、ストッパ部２４で係止されているだけであるので、該平板状部材２８に対して簡単に着脱することができるように取り付けられている。なお、例えば、ジャッキ装置２８を平板状部材２０に固定する構成等として、駆動手段１４は係止手段１２に対して固定されて一体化されていてもよい。
【００２８】
次に、本実施形態に係る解体工具１０の作用について説明する。図１、図４（ａ）に示すように、第１の剛体１０１である台石の上面（１０１ａ）に係止手段１２の基部１６である平板状部材２０を載置する。この際、平板状部材２０のＬ字切欠き状の位置決め部２２を第２の剛体１０２である竿石の隅部に当接して位置決めする。係止手段１２の係止片１８となるＬ字状片２６が台石の側面（１０１ｂ）に当着する又は近接する位置にＬ字状片２６を平板状部材２０の細長部２０ａの所定の位置に、ボルト・ナット（３０）で締結して固定する。駆動手段１４を構成するジャッキ装置２８を平板状部材２０の拡大部２０ｂの板面上に載置する。ジャッキ装置２８は、基体２８ａを平板状部材２０のストッパ部２４に係止させるとともに、ヘッド部２８ｂを竿石の側面（１０２ａ）に当着又は近接して設定する。ジャッキ装置２８の操作棒２８ｃを前後に揺動させて手動操作することによって、図４（ｂ）に示すように、ヘッド部２８ｂが基体２８ａから進出するのに伴って全長が伸長することにより、ストッパ部２４と第２の剛体１０２である竿石の側面１０２ａとの間で突っ張り状に作用する。駆動手段１４のジャッキ装置２８の全長を伸長することにより、第１の剛体１０１には係止手段１２の係止片１８により係止される方向Ｘ１に向けて力が作用すると同時に、第２の剛体１０２には、該係止される方向Ｘ１とは逆方向Ｘ２に押圧する力が作用することとなる。その結果、第１、第２の剛体１０１、１０２の接着部分の近傍において、互いに逆方向（Ｘ１，Ｘ２）に力が作用することにより、それらの接着部分にねじれ状の強い力が作用して接着部分を切断分離して竿石を台石に対してスライドさせ、それらの石材を傷つけることなく、簡単かつスムーズに、短時間でしかも確実に解体することができる。なお、本実施形態では、墓石を解体する例で説明したが、墓石に限らず種々の石材や金属等の剛体どうしが接着されたものを接着部分から分解して解体する際に利用することとしてもよい。
【００２９】
以上説明した本発明の解体工具は、上記した実施形態のみの構成に限定されるものではなく、特許請求の範囲に記載した本発明の本質を逸脱しない範囲において、任意の改変を行ってもよい。
【産業上の利用可能性】
【００３０】
本発明の解体工具は、例えば、互いに接着された石材や金属等の剛体を接着部分から分離して解体する際に利用することができる。特に、墓じまいで墓石を解体する際などに有効に利用することができる。
【符号の説明】
【００３１】
１０    解体工具
１２    係止手段
１４    駆動手段
１６    基部
１８    係止片
２０    平板状部材
２２    位置決め部
２４    ストッパ部
２６    Ｌ字状片
２８    ジャッキ装置
１０１    第１の剛体
１０２    第２の剛体
【手続補正３】
【補正対象書類名】図面
【補正対象項目名】図５
【補正方法】変更
【補正の内容】
【図５】
2020125632.tif 000008